(57)【要約】【課題】  ＲＣＡジャックを電気機器の本体部から手元まである程度の長い距離まで延ばすことができ、電気機器の本体部まで行かなくても容易にコードの交換を行うことができるＲＣＡジャックを有する電気機器を提供する。【解決手段】  ＲＣＡジャック１がボックス体２に設けられて機器本体３に対してＲＣＡジャック１のボックス体２が別体に形成され、機器本体３内の基板４とＲＣＡジャック１のボックス体２が長尺のコード５で接続されていて、ＲＣＡジャック１のボックス体２には、前面部に鍔状部７ａが設けられ、この鍔状部７ａの四隅に、機器本体３に穿設された取り付け穴７に対して係脱可能な爪部８ａを有する係止脚部８が裏向きに突設されている。【選択図】  図１
2005026168.tif 000002
【特許請求の範囲】
【請求項１】
コネクタが挿脱可能に接続されるＲＣＡジャックが機器本体の一部に備えられた電気機器において、前記ＲＣＡジャックがボックス体に設けられて前記機器本体に対して前記ＲＣＡジャックのボックス体が別体に形成され、前記機器本体内の基板と前記ＲＣＡジャックのボックス体が長尺のコードで接続されていて、前記ＲＣＡジャックのボックス体には、前面部に鍔状部が設けられ、この鍔状部の四隅に、前記機器本体に穿設された取り付け穴に対して係脱可能な爪部を有する係止脚部が裏向きに突設されていることを特徴とするＲＣＡジャックを有する電気機器。
【請求項２】
ＲＣＡジャックがボックス体に設けられていて、このＲＣＡジャックのボックス体と機器本体とが別体に形成され、前記機器本体内の基板と前記ＲＣＡジャックのボックス体が長尺のコードで接続されていて、前記機器本体に前記ＲＣＡジャックのボックス体を取り付け取り外し可能な取り付け穴が穿設されていることを特徴とするＲＣＡジャックを有する電気機器。
【請求項３】
前記ＲＣＡジャックのボックス体の裏面に、前記コードを巻き付け可能な巻取り手段が設けられている請求項２に記載のＲＣＡジャックを有する電気機器。
【請求項４】
前記巻取り手段は、前記ＲＣＡジャックのボックス体の裏面に左右外向きに突設された左右一対のＬ字状リブで構成され、前記ＲＣＡジャックのボックス体を前記機器本体の取り付け穴に取り付ける際に、これらのＬ字状リブに前記コードを巻き付けるようにした請求項３に記載のＲＣＡジャックを有する電気機器。
【請求項５】
前記巻取り手段は、前記ＲＣＡジャックのボックス体の裏面に後方に向けて突設され、先端に鍔状部を有する１本のリブで構成され、前記ＲＣＡジャックのボックス体を前記機器本体の取り付け穴に取り付ける際に、このリブに前記コードを巻き取るようにした請求項３に記載のＲＣＡジャックを有する電気機器。
【請求項６】
前記ＲＣＡジャックのボックス体の前面側の四隅に、前記機器本体に穿設された取り付け穴に係脱可能な係止脚部が裏側に向けて突設されている請求項２乃至５のいずれかに記載のＲＣＡジャックを有する電気機器。
【発明の詳細な説明】
【技術分野】
【０００１】
本発明は、コネクタが挿脱可能に接続されるＲＣＡジャックが機器本体の一部に備えられた電気機器に関する。
【背景技術】
【０００２】
従来のテレビデオ等の電気機器においては、ＲＣＡジャックはフロントパネルの前面に固定した状態で配置されていたので、ジャック部分を前方に向けて延長するには、他の新たなコードを必要としていた。
【０００３】
第１の従来技術を図５に示す。電気機器のソケットに挿着しうるプラグ部１１１を備えた第１ジャック素子１１０と、電源に接続自在のコード部を連設した第２ジャック素子１２０とを、相互の通電可能な状態で相対回動自在に連結したものである。
ところが、これは、第１ジャック素子１１０と第２ジャック素子１２０を連結する構造だけで、第１ジャック素子１１０を電気機器の本体部から手元まで前方に延長できるものではなかった。
【０００４】
第２の従来技術を図６（ａ）（ｂ）（ｃ）に示す。内部基板２０２に接続され外部からの電源を内部基板２０２に供給する内部ケーブル２０３と、この内部ケーブル２０３の他端に取り付けられたジャック２０４と、このジャック２０４と接続されるプラグ２０７と、一端がこのプラグ２０７に他端がＡＣアダプタ２０９に接続されＡＣアダプタ２０９からの電源を供給するＤＣコード２０６とから構成され、内部ケーブル２０３の先端に取り付けられたジャック２０４と外部のＡＣアダプタ２０９から電源を供給するＤＣコード２０６に接続されたプラグ２０７とが接続されることによって外部のＡＣアダプタ２０９からノートパソコン２０１の内部基板２０２に電源供給を行うものである。
【０００５】
そして、内部ケーブル２０３のジャック２０４とＤＣコード２０６のプラグ２０７とを接続し内部ケーブル２０３を引き出した状態で、ＤＣコード２０６に接続されたＡＣアダプタ２０９を使用することにより、ＡＣアダプタ２０９側のＤＣコード２０６を引っ張った場合における、ＤＣコード２０６とプラグ２０７間の断線の発生を防止するとともに、万一、内部ケーブル２０３が断線しても、内部ケーブル２０３のみの交換で修理が完了するため、修理コストの上昇を抑えることができるものである。
ところが、これは、ジャック２０４を前方に若干の距離まで外れるように構成されたものであって、ジャック２０４を前方に長く延長して、ジャック２０４を電気機器から手元まで届くようにしたものではなかった。
【０００６】
【特許文献１】実開平５−９４９７４号公報
【特許文献２】特開平９−１２０８５８号公報
【発明の開示】
【発明が解決しようとする課題】
【０００７】
本発明は、ＲＣＡジャックを電気機器の本体部から手元まである程度の長い距離まで延ばすことができ、電気機器の本体部まで行かなくても容易にコードの交換を行うことができるＲＣＡジャックを有する電気機器を提供することを目的としている。
【課題を解決するための手段】
【０００８】
本発明は、上記課題を解決するために提案されたものであって、請求項１に記載の発明は、コネクタが挿脱可能に接続されるＲＣＡジャックが機器本体の一部に備えられた電気機器において、前記ＲＣＡジャックがボックス体に設けられて前記機器本体に対して前記ＲＣＡジャックのボックス体が別体に形成され、前記機器本体内の基板と前記ＲＣＡジャックのボックス体が長尺のコードで接続されていて、前記ＲＣＡジャックのボックス体には、前面部に鍔状部が設けられ、この鍔状部の四隅に、前記機器本体に穿設された取り付け穴に対して係脱可能な爪部を有する係止脚部が裏向きに突設されていることを特徴としている。
【０００９】
請求項２に記載の発明は、ＲＣＡジャックがボックス体に設けられていて、このＲＣＡジャックのボックス体と機器本体とが別体に形成され、前記機器本体内の基板と前記ＲＣＡジャックのボックス体が長尺のコードで接続されていて、前記機器本体に前記ＲＣＡジャックのボックス体を取り付け取り外し可能な取り付け穴が穿設されていることを特徴としている。
請求項３に記載の発明は、前記ＲＣＡジャックのボックス体の裏面に、前記コードを巻き付け可能な巻取り手段が設けられている請求項２に記載のＲＣＡジャックを有するものである。
【００１０】
請求項４に記載の発明は、前記巻取り手段は、前記ＲＣＡジャックのボックス体の裏面に左右外向きに突設された左右一対のＬ字状リブで構成され、前記ＲＣＡジャックのボックス体を前記機器本体の取り付け穴に取り付ける際に、これらのＬ字状リブに前記コードを巻き付けるようにした。
請求項５に記載の発明は、前記巻取り手段は、前記ＲＣＡジャックのボックス体の裏面に後方に向けて突設され、先端に鍔状部を有する１本のリブで構成され、前記ＲＣＡジャックのボックス体を前記機器本体の取り付け穴に取り付ける際に、このリブに前記コードを巻き取るようにした。
請求項６に記載の発明は、前記ＲＣＡジャックのボックス体の前面側の四隅に、前記機器本体に穿設された取り付け穴に係脱可能な係止脚部が裏側に向けて突設されているものである。
【発明の効果】
【００１１】
以上説明したように、請求項１の発明によれば、コネクタが挿脱可能に接続されるＲＣＡジャックが機器本体の一部に備えられた電気機器において、ＲＣＡジャックがボックス体に設けられて機器本体に対してＲＣＡジャックのボックス体が別体に形成され、機器本体内の基板とＲＣＡジャックのボックス体が長尺のコードで接続されていて、ＲＣＡジャックのボックス体には、前面部に鍔状部が設けられ、この鍔状部の四隅に、前記機器本体に穿設された取り付け穴に対して係脱可能な爪部を有する係止脚部が裏向きに突設されているから、以下に述べる効果を奏する。
【００１２】
即ち、ＲＣＡジャックのボックス体を電気機器の本体部から手元まである程度の長い距離まで延ばすことができ、電気機器の本体部まで行かなくても容易にコードの交換を行うことができる。
また、ボックス体を手元まで延ばすことなく、電気機器の本体部に取り付けた状態とするときに、ボックス体を機器本体の取り付け穴に挿入して鍔状部の係止脚部を取り付け穴の縁部に係入係止するだけでボックス体を電気機器の本体に取り付けた状態とすることができ、且つボックス体の電気機器の本体部に対する挿脱を容易に行うことができる。
【００１３】
請求項２に記載の発明によれば、ＲＣＡジャックがボックス体に設けられていて、このＲＣＡジャックのボックス体と機器本体とが別体に形成され、機器本体内の基板とＲＣＡジャックのボックス体が長尺のコードで接続されていて、機器本体にＲＣＡジャックのボックス体を取り付け取り外し可能な取り付け穴が穿設されているから以下に述べる効果を奏する。
即ち、ＲＣＡジャックを電気機器の本体部から手元まである程度の長い距離まで延ばすことができ、電気機器の本体部まで行かなくても容易にコードの交換を行うことができる。
【００１４】
請求項３に記載の発明によれば、ＲＣＡジャックのボックス体の裏面に、コードを巻き付け可能な巻取り手段が設けられているので、ボックス体を電気機器の本体部に取り付けておく際に、この巻取り手段にコードを巻き付けることによって、コードがばらつくことなくボックス体を電気機器の本体部に取り付けておくことができる。
請求項４に記載の発明によれば、巻取り手段は、ＲＣＡジャックのボックス体の裏面に左右外向きに突設された左右一対のＬ字状リブで構成され、ＲＣＡジャックのボックス体を機器本体の取り付け穴に取り付ける際に、これらのＬ字状リブにコードを巻き付けるようにしたので、左右一対のＬ字状リブにコードを巻き付け易く、コードがばらつくことを防ぐことができる。しかも、巻取り手段の構成を簡単化することができる。
【００１５】
請求項５に記載の発明によれば、巻取り手段は、ＲＣＡジャックのボックス体の裏面に後方に向けて突設され、先端に鍔状部を有する１本のリブで構成され、ＲＣＡジャックのボックス体を機器本体の取り付け穴に取り付ける際に、このリブにコードを巻き取るようにしたので、リブにコードを簡単に巻き付けることができ、コードがばらつくことを防ぐことができる。また、コードをリブに巻き付けた際に、横幅が大きくならず、ボックス体を容易に電気機器の本体部の取り付け穴に取り付けることができる。
請求項６に記載の発明によれば、ＲＣＡジャックのボックス体の前面側の四隅に、機器本体に穿設された取り付け穴に係脱可能な係止脚部が裏側に向けて突設されているので、ボックス体を手元まで延ばすことなく電気機器の本体部に取り付けた状態とするときに、ボックス体を機器本体の取り付け穴に挿入して鍔状部の係止脚部を取り付け穴の縁部に係入係止するだけでボックス体を電気機器の本体に取り付けた状態とすることができ、且つボックス体の電気機器の本体部に対する挿脱を容易に行うことができる。
【発明を実施するための最良の形態】
【００１６】
以下、本発明に係るＲＣＡジャックを有する電気機器の実施の形態について、図を参照しつつ、説明する。
図１は本発明の第１実施形態のＲＣＡジャックを有する電気機器の全体の斜視図、図２は同電気機器のＲＣＡジャックが設けられたボックス体の斜視図である。
【００１７】
第１実施形態のＲＣＡジャックを有する電気機器は、図１に示すように、三つの接続部１ａ、１ｂ、１ｃを有するＲＣＡジャック１がボックス体２に設けられてテレビデオの機器本体３に対してＲＣＡジャック１のボックス体２が別体に形成され、機器本体３内の基板４とＲＣＡジャック１のボックス体２が長尺のコード５で接続されている。そして、ＲＣＡジャック１のボックス体２には、前面部に鍔状部６が設けられ、この鍔状部６の四隅に、機器本体３に穿設された取り付け穴７に対して係脱可能な爪部８ａを有する係止脚部８が裏向きに突設されている。尚、ＲＣＡジャック１の接続部１ａ、１ｂ、１ｃには、コネクタＣが接続されるようになっている。
【００１８】
ＲＣＡジャック１のボックス体２の内部構造は、図２に示すように、ＲＣＡジャック１の各接続部１ａ、１ｂ、１ｃの各々下向きの２本の端子からなる脚部１ｄ、１ｃが水平向きの小基板９のパターン（図示略）に導通状態で取り付けられている。この小基板９のパターンの後部から各端子１ｄ、１ｃに導通する２本の導線１０、１１が延設されて短コード１２、１３、１４で被覆されている。これらの短コード１２、１３、１４はボックス体２内で前記した長尺のコード５内に入って被覆されているようになっている。
また、係止脚部８は、鍔状部６の四隅のボックス本体部２ａから若干離れた位置から裏向きに突設されて、その爪部８ａが外向きになるように設けられている。
そして、テレビデオの機器本体３に穿設された取り付け穴７の四方隅部の縁部に弾性をもって係脱されるように構成されている。
【００１９】
したがって、この第１実施形態によれば、ＲＣＡジャック１のボックス体２をテレビデオの機器本体３から長尺のコード５を介して手元まである程度の長い距離まで延ばすことができ、テレビデオの機器本体１まで行かなくても容易にコードの交換を行うことができる。
また、ボックス体２を手元まで延ばすことなく、テレビデオの機器本体１に取り付けた状態とするときに、ボックス体２を機器本体３の取り付け穴７に挿入して鍔状部６の係止脚部８を取り付け穴７の縁部に係入係止するだけでボックス体２をテレビデオの機器本体３に取り付けた状態とすることができ、且つボックス体２のテレビデオの機器本体３に対する挿脱を容易に行うことができる。
【００２０】
図３は第２実施形態のＲＣＡジャックを有する電気機器におけるＲＣＡジャックが設けられたボックス体の裏側から見た斜視図である。
第２実施形態のＲＣＡジャックを有する電気機器は、ＲＣＡジャック１のボックス体２の裏面に、長尺のコード５を巻き付け可能な巻取り手段１５が設けられており、この巻取り手段１５は、ＲＣＡジャック１のボックス体２をテレビデオの機器本体３の取り付け穴７に取り付ける際に、これらのＬ字状リブ１６、１６に長尺のコード５を巻き付けるようにしている。
したがって、この第２実施形態によれば、巻取手段１５を構成する左右一対のＬ字状リブ１６、１６に長尺のコード５を巻き付け易く、このコード５がばらつくことを防ぐことができる。しかも、巻取り手段１５の構成を簡単化することができる。
【００２１】
図４は第３実施形態のＲＣＡジャックを有する電気機器におけるＲＣＡジャックが設けられたボックス体の裏側から見た斜視図である。
第３実施形態のＲＣＡジャックを有する電気機器は、ＲＣＡジャック１のボックス体２の裏面に、長尺のコード５を、巻き付け可能な巻取り手段１５が設けられており、この巻取り手段１５は、ＲＣＡジャック１のボックス体２の裏面に後方に向けて突設され、先端に鍔状部１７ａを有する１本のリブ１７で構成されている。
そして、ＲＣＡジャック１のボックス体２をテレビデオの機器本体３の取り付け穴７に取り付ける際に、このリブ１７に長尺のコード５を巻き取るようにしている。
【００２２】
したがって、この第３実施形態によれば、リブ１７に長尺のコード５を簡単に巻き付けることができ、コード５がばらつくことを防ぐことができる。また、コード５をリブ１７に巻き付けた際に、横幅が大きくならず、ボックス体２を容易にテレビデオの機器本体３の取り付け穴７に取り付けることができる。また、リブ１７に鍔状部１７ａが設けられているので、この鍔状部１７ａによって、リブ１７に巻き付けられたコード５が裏向きに抜け出ることを防ぐことができる。
尚、上記した各実施形態では、電気機器としてテレビデオについて説明したが、これに限らず、本発明はＲＣＡジャックを有する他の電気機器にも適用できることは勿論である。
【図面の簡単な説明】
【００２３】
【図１】本発明の第１実施形態のＲＣＡジャックを有する電気機器の全体の斜視図である。
【図２】同電気機器のＲＣＡジャックが設けられたボックス体の斜視図である。
【図３】第２実施形態のＲＣＡジャックを有する電気機器におけるＲＣＡジャックが設けられたボックス体の裏側から見た斜視図である。
【図４】第３実施形態のＲＣＡジャックを有する電気機器におけるＲＣＡジャックが設けられたボックス体の裏側から見た斜視図である。
【００２４】
【図５】従来の電気機器類における接続用ジャック示す断面図である。
【図６】従来のＤＣコード接続機構を示し、（ａ）はジャックが外れた状態を示す断面図、（ｂ）はジャックが取り付けられた状態の断面図、（ｃ）はジャックと内部ケーブルを取り外した状態の断面図である。
【符号の説明】
【００２５】
１                  ＲＣＡジャック
１ａ、１ｂ、１ｃ    接続部
１ｄ、１ｅ          脚部
２                  ボックス体
２ａ                ボックス本体部
３                  機器本体
４                  基板
５                  長尺のコード
６                  鍔状部
７                  取り付け穴
８                  係止脚部
８ａ                爪部
９                  小基板
１０                導線
１１                導線
１２                短コード
１３                短コード
１４                短コード
１５                巻取り手段
１６                Ｌ字状リブ
１７                リブ
１７ａ              鍔状部
【図１】
2005026168.tif 000003
【図２】
2005026168.tif 000004
【図３】
2005026168.tif 000005
【図４】
2005026168.tif 000006
【図５】
2005026168.tif 000007
【図６】
2005026168.tif 000008